(57)【要約】【課題】  本発明は、腹部への強い押圧力によらずに装着時の体型調整ができ、しかも、徐々に体型そのものが修正されていくことができる衣類を提供することを課題とする。【解決手段】  布製ウエスト部前面１と布製腹部３とからなる布製本体前面と、布製ウエスト部背面と布製腰部とからなる布製本体背面とから構成されるウエスト部を有する衣類であって、前記布製本体前面の装着に伴う水平方向の収縮距離が、前記布製本体背面の装着に伴う水平方向の収縮距離より長くなる機能を備えるものであるウエスト部を有する衣類である。【選択図】  図１
2011017116.tif 000002
【特許請求の範囲】
【請求項１】
布製ウエスト部前面１と布製腹部３とからなる布製本体前面と、布製ウエスト部背面２と布製腰部４とからなる布製本体背面とから構成されるウエスト部を有する衣類であって、前記布製本体前面の装着に伴う水平方向の収縮距離が、前記布製本体背面の装着に伴う水平方向の収縮距離より長くなる機能を備えるものであることを特徴とするウエスト部を有する衣類。
【請求項２】
前記布製本体前面を体軸方向の長さで等分し、布製前腹部下部６ａと布製前腹部上部６ｂとし、前記布製前腹部下部６ａの装着に伴う水平方向の収縮距離が、前記布製前腹部上部６ｂの装着に伴う水平方向の収縮距離より短くなる機能を備えるものである請求項１に記載のウエスト部を有する衣類。
【請求項３】
前記布製腰部４の装着に伴う体軸方向の収縮距離が、前記布製ウエスト部背面２の装着に伴う体軸方向の収縮距離より同一幅で比較した場合に長くなる機能を備えるものである請求項１〜請求項２のいずれかに記載のウエスト部を有する衣類。
【請求項４】
前記布製本体前面の一部または全部に装着に伴う体軸方向の滑り止め機能を備えるものである請求項１〜請求項３のいずれかに記載のウエスト部を有する衣類。
【請求項５】
前記布製本体背面の一部または全部に水平方向の伸縮機能を備えないものである請求項１〜請求項４のいずれかに記載のウエスト部を有する衣類。
【請求項６】
前記布製本体前面の一部に水平方向の伸縮機能を備えないものである請求項１〜請求項５のいずれかに記載のウエスト部を有する衣類。
【請求項７】
前記ウエスト部を有する衣類が布製殿部５および／または布製股部１２を備える請求項１〜請求項６のいずれかに記載のウエスト部を有する衣類。
【請求項８】
前記布製殿部５の人体の殿筋部に相当する部位に、前記布製殿部５の装着に伴う水平方向の収縮距離より同一幅で比較した場合に短くなる機能を備える殿筋作用部１０を備える請求項７に記載のウエスト部を有する衣類。
【請求項９】
前記殿筋作用部１０の装着に伴う水平方向の収縮距離が、装着に伴う体軸方向の収縮距離より同一幅で比較した場合に短くなる機能を備える請求項８に記載のウエスト部を有する衣類。
【請求項１０】
前記ウエスト部を有する衣類が布製脚部１１を備える請求項７〜請求項９のいずれかに記載のウエスト部を有する衣類。
【請求項１１】
前記ウエスト部を有する衣類が布製上半身の一部または全部を備える、例えば、ボディスーツ、レオタード、水着等の請求項１〜請求項１０のいずれかに記載のウエスト部を有する衣類。
【発明の詳細な説明】
【技術分野】
【０００１】
本発明は、ウエスト部を有する衣類であって、産後の腹部の形状が整っていくメカニズムと同様のメカニズムを働かせるための条件を組み込んだ衣類に関する。
【背景技術】
【０００２】
従来、特にウエストを中心として、自分の体型を美しく見せたいという強いニーズがある。このようなニーズに応えるために、ウエスト部を有する衣類、特に、身体に密着して装着する衣類においては、腹部のたるみなどによる膨出、特に下腹部の膨出、を抑え、装着者をより美しく見せるための機能を備えたものが汎用されている。
【０００３】
しかし、膨出を抑えるために腹部を強く圧迫し、または、ウエストを過剰に締め付けることは、装着者に不快感や苦痛を与えるので、好ましいものとは言えない。また、それらは装着時にのみ効果を発揮するものであった。一部では、ウエスト部を有する衣類、特に、身体に密着して装着する衣類においては、装着者の腹部の形状を整えることができ、さらに装着者の腹部を強く圧迫、または、ウエストを過剰に締め付けることのないものが提案されている（例えば、特許文献１参照）。
【０００４】
特許文献１には、図１４に示すように、伸縮性の衣料本体表布に縫合された伸縮性腹部裏打ち布２１、２２の斜め上方向の収縮力により着用時に下腹部を斜め上方に引き上げ、着用完了後にはより強い押圧によりこの状態を保持し、腹部を美しい形状に整形し維持することができるガードルが提案されている。
【０００５】
このように、上記を含む従来のウエスト部を有する衣類では、着衣時に、外見上、膨出した腹部の形状を整える手段として腹部を押圧することを重視し、腹部全体や局所を効率よく押圧する機能が提案されている。
着衣時に膨出した腹部の形状を整え、より美しく見せたいというニーズに応えるためには、それ相当に腹部を押圧する力（以下、押圧する力を押圧力と呼ぶ）を備える必要が生じる。時として、装着者の膨出した腹部の形状を整えるために必要な押圧力が腹部の筋肉や内臓を強く圧迫し、装着者に不快感や苦痛を与える。しかも、脱衣時には、元の体型に戻ってしまう。
ゆえに、装着者の腹部の形状を整えることができ、さらに装着者の腹部を強く圧迫、または、ウエストを過剰に締め付けることのないものという条件を満たすことは容易ではないというのが現状であった。
【先行技術文献】
【特許文献】
【０００６】
【特許文献１】特開２００７−２４７１１７号公報
【発明の概要】
【発明が解決しようとする課題】
【０００７】
本発明は、上記の事情に鑑み、腹部への強い押圧力によらずに装着時の体型調整ができ、しかも、徐々に体型そのものが修正されていくことができる衣類を提供することを課題とする。
【課題を解決するための手段】
【０００８】
上記課題を解決するため、本発明のウエスト部を有する衣類は、布製ウエスト部前面１と布製腹部３とからなる布製本体前面と、布製ウエスト部背面２と布製腰部４とからなる布製本体背面とから構成されるウエスト部を有する衣類であって、前記布製本体前面の装着に伴う水平方向の収縮距離が、前記布製本体背面の装着に伴う水平方向の収縮距離より長くなる機能を備えるものであることを特徴とする。
前記布製本体前面を体軸方向の長さで等分し、布製前腹部下部６ａと布製前腹部上部６ｂとし、前記布製前腹部下部６ａの装着に伴う水平方向の収縮距離が、前記布製前腹部上部６ｂの装着に伴う水平方向の収縮距離より短くなる機能を備えるものであること、前記布製腰部４の装着に伴う体軸方向の収縮距離が、前記布製ウエスト部背面２の装着に伴う体軸方向の収縮距離より同一幅で比較した場合に長くなる機能を備えるものであること、前記布製本体前面の一部または全部に装着に伴う体軸方向の滑り止め機能を備えるものであること、前記布製本体背面の一部または全部に水平方向の伸縮機能を備えないものであること、前記布製本体前面の一部に水平方向の伸縮機能を備えないものであること、前記ウエスト部を有する衣類が布製殿部５および／または布製股部１２を備えるものであること、前記布製殿部５の人体の殿筋部に相当する部位に、前記布製殿部５の装着に伴う水平方向の収縮距離より同一幅で比較した場合に短くなる機能を備える殿筋作用部１０を備えるものであること、前記殿筋作用部１０の装着に伴う水平方向の収縮距離が、装着に伴う体軸方向の収縮距離より同一幅で比較した場合に短くなる機能を備えるものであること、前記ウエスト部を有する衣類が布製脚部１１を備えるものであること、前記ウエスト部を有する衣類が布製上半身の一部または全部を備えるものであること、が、それぞれ好ましい。
【発明の効果】
【０００９】
本発明の衣類によれば、腹部への強い押圧力によらずに、産後の腹部の形状が整っていくメカニズムと同様のメカニズム（以下、体型調整メカニズムという）を働かせるための条件を衣類に機能として取り入れることで、装着時に腹部の皮膚を弛ませ、腹部に軽くしわをよせ、且つ、日常的な継続使用により装着者の腹部の形状を根本から整える機能（体型そのものを身体の生理作用を利用し修正する機能）を備えた衣類を提供することが可能となる。さらに、腹部のみならず腰部や殿部にも、体型調整メカニズムを働かせるための条件を機能として取り入れることが可能となる。
【図面の簡単な説明】
【００１０】
【図１】本発明の第一の実施の形態を示す衣類である腹巻の正面説明図である。
【図２】図１に示した衣類である腹巻の背面説明図である。
【図３】本発明の他の実施の形態である生地の少ない股上の浅いショーツの装着状態における正面説明図である。
【図４】図３に示したショーツの装着状態における背面説明図である。
【図５】本発明の第３の実施の形態である生地の多い股上の深いショーツの装着状態における正面説明図である。
【図６】図５に示したショーツの装着状態における背面説明図である。
【図７】本発明の第４の実施の形態である殿筋作用部１０を備えたショーツを示す正面説明図である。
【図８】図７に示したショーツの背面説明図である。
【図９】本発明の第５の実施の形態であるガードルを示す正面説明図である。
【図１０】図９に示したガードルの背面説明図である。
【図１１】本発明の第６の実施の形態である殿筋作用部１０を備えたガードルを示す正面説明図である。
【図１２】図１１に示したガードルの背面説明図である。
【図１３】図１１に示したガードルの腹部に備えた当て布である。
【図１４】従来技術のガードルの着用状態における正面図である。
【発明を実施するための形態】
【００１１】
本発明者は、鋭意研究を重ねていく過程で、腹部のたるみが腹部の皮膚に加わる物理的な力と密接に関係していることを知見した。
皮膚には、苦痛を伴わない程度の負荷となる持続的な伸張力（以下、持続的伸張負荷と呼ぶ）が加わると伸び、持続的伸張負荷が減少すると縮むという生理的性質がある。
この生理的性質を、出産前後の腹部の皮膚を例として説明する。
妊娠経過に従い、胎児の重さ（大きさ）は妊婦の体内で増加していく。この胎児の重さの増加は、妊婦の腹部の皮膚に対する体内からの持続的伸張負荷となる。すると、腹部の皮膚は、持続的伸張負荷が加わると伸びるという皮膚の生理的性質に従い伸び、腹部は膨出する。
出産に伴い、胎児の影響による腹部の膨出は消失するが、腹部の皮膚は伸びたままで、著しくたるんでいる。しかし、同時に出産に伴い胎児の影響による持続的伸張負荷が消失する。すると、腹部の皮膚は、持続的伸張負荷が減少すると縮むという皮膚の生理的性質に従い、時間の経過と共に縮み、腹部の形状は妊娠前の体型へと整っていく。
【００１２】
このように、産後の腹部のたるみが一時的なもので、時間の経過に伴い整っていくのは、腹部の皮膚への持続的伸張負荷が減少したことによるものであり、これが産後の腹部の形状が整っていくメカニズムである。このメカニズムと同様の体型調整メカニズムを利用すれば、妊娠時以外の腹部膨出や産後以外の腹部のたるみに対しても同様に、体型の形状を根本から整えることが可能となる。この体型調整メカニズムを働かせるためには、腹部の皮膚への持続的伸張負荷を減少させることが不可欠な条件となる。
また、身体の形状を整える手段として歯列矯正があるが、この歯列矯正も物理的な強い押圧力によるものではなく、苦痛を伴わない程度の持続的な負荷によって生じる骨の生理的性質（破骨細胞と骨芽細胞の性質）を利用している。
【００１３】
このように、身体が持つ生理的性質を利用して身体の形状を整えるには、苦痛を伴わない程度の持続的な負荷が肝要となる。
ここで、腹部の皮膚を水平方向から弛ませ、腹部に軽くしわをよせ、腹部の皮膚への持続的伸張負荷を減少させることは有効な手段となる。この有効な手段を衣類に機能として取り入れることで、体型調整メカニズムが働き、老若男女を問わず、腹部の筋肉や内臓を強い押圧力で圧迫することなく、日常的な継続使用により腹部の形状を整えることが可能となる。この観点から見ると、従来の衣類においては、腹部の皮膚に対する持続的伸張負荷に対する考慮がなされていないことがわかる。
【００１４】
そこで、本発明者は、装着者の腹部を強く圧迫、または、ウエストを過剰に締め付けず、装着者に不快感や苦痛を与えないために、腹式呼吸等に伴う腹囲の増減に追従できる伸縮性を有する生地を選択した。さらに、選択し、それらを組み合わせて衣類を構成することを着想した。すなわち、生地から試験片を切り出し、所定の力を加えてその伸びた長さを測定する。そして、この測定した、引き伸ばした状態の数値から、引き伸ばす前の状態の数値を差し引いた長さ（以下、収縮距離と呼ぶ）を求め、収縮距離が異なる素材を組み合わせる。この収縮距離が異なる生地を組み合わせることによって生じる、衣類の各部における収縮距離の差異によって生じる作用（装着する際に一定の力で押し広げた場合、収縮距離の長い部位は、収縮距離の短い部位よりさらに伸びる。すなわち、装着時において収縮距離の最も長い部位が最も縮む）と衣類と皮膚との摩擦を考慮すれば、体型調整メカニズムを働かせるための手段を衣類に機能として取り入れることができ、腹部の皮膚を弛ませ、腹部に軽くしわをよせ、日常的な継続使用により装着者の腹部の形状を根本から整える機能を備えた衣類を提供することができるとの知見を得て、本発明を完成するに至った。
【００１５】
以下、図面を用いて本発明の実施の形態を詳細に説明する。
図１および図２に示す本発明の第一の実施の形態である腹巻では、布製ウエスト部前面１と布製腹部３とからなる布製本体前面、と、布製ウエスト部背面２と布製腰部４とからなる布製本体背面、とから構成される。該衣類において、布製本体前面の装着に伴う水平方向の収縮距離が、布製本体背面の装着に伴う水平方向の収縮距離より長くなる機能を備えるもので構成されるようにする。
【００１６】
この衣類では、装着者の実測腹囲より、適度に腹囲が短いサイズを適正サイズとするため、装着者は適正サイズを選択し、引き伸ばしながら装着する。そのため装着により衣類と皮膚との間に摩擦が生じる。さらに、腹部に密着する布製本体前面の装着に伴う水平方向の収縮距離が、背側の腰部に密着する布製本体背面の装着に伴う水平方向の収縮距離より長くなるという差異を設けているため、衣類の装着に伴う収縮距離の度合は、腹部に密着する布製本体前面が最大となり、腹部の皮膚を背側の腰部の皮膚より水平方向に弛ませ、腹部に軽くしわをよせる機能を備えることができるのである。
【００１７】
このことで、衣類の装着に伴い、腹部の皮膚は水平方向に弛ませられ、腹部の皮膚への水平方向の持続的伸張負荷を軽減することができる。すると、持続的伸張負荷が減少すると縮むという皮膚の性質が作用し、体型調整メカニズムが働き、腹部の皮膚を縮ませる効果を生じさせ、腹部の形状を根本から整えることができる。したがって、本発明のウエスト部を有する衣類では、腹部への強い押圧力によらなくても、体型調整メカニズムを働かせるための条件を衣類に機能として取り入れることができ、腹部の皮膚を弛ませ、腹部に軽くしわをよせ、日常的な継続使用により装着者の腹部の形状を根本から整える機能を備えることが可能となる。
【００１８】
また、布製本体前面を体軸方向の長さで等分し、布製前腹部下部６ａと布製前腹部上部６ｂとし、布製前腹部下部６ａの装着に伴う水平方向の収縮距離が、布製前腹部上部６ｂの装着に伴う水平方向の収縮距離より短くなる機能を備える構造とすることが好ましい。このことで、装着に伴う布製本体前面における布製前腹部下部６ａの水平方向の収縮距離が、布製前腹部上部６ｂの水平方向の収縮距離より短くなる機能により、腹部の皮膚を上方向に押し上げることができる（図９）。この等分の数は、限定的ではない。
【００１９】
また、布製腰部４の装着に伴う体軸方向の収縮距離が、布製ウエスト部背面２の装着に伴う体軸方向の収縮距離より同一幅で比較した場合に長くなる機能を備える構造とすることも好ましい。こうすることで、腰部に生じる体軸方向の衣服圧による動きにくさを改善することができる。さらに、腰部の皮膚に対する体軸方向の持続的伸張負荷（殿部の自重による）を減少させることができ、殿部下垂の予防改善ができる。
【００２０】
また、布製本体前面の一部または全部に装着に伴う体軸方向の滑り止め機能を備える構造とすることも好ましい。こうすることで、腹部の皮膚に対する体軸方向の持続的伸張負荷（腹部の自重や日常動作や運動等に伴う皮膚の揺れ等によって生じる力による）を減少させることができ、装着者の腹部の形状を根本から整える機能を一層高めることができる（図１１）。
【００２１】
また、布製本体背面の一部または全部に水平方向の伸縮機能を備えない構造とすることも好ましい。こうすることで、布製本体前面と布製本体背面との装着に伴う水平方向の収縮距離の差を更に十分に取ることができ、腹部の皮膚を弛ませ、腹部に軽くしわをよせ、日常的な継続使用により装着者の腹部の形状を整える機能を一層高めることができる。
【００２２】
また、布製本体前面の一部に水平方向の伸縮機能を備えない構造とすることも好ましい態様である。こうすることで、体型調整メカニズムを部分的に働かせることが可能となるので、装着者の腹部の局所に対し、より好適に作用させることができ、腹部の皮膚を弛ませ、腹部に軽くしわをよせ、日常的な継続使用により装着者の腹部の形状を整える機能をさらに高めることができる（図９）。
【００２３】
また、前記ウエスト部を有する衣類が布製殿部５および／または布製股部１２を備えるものであることも好ましい態様である。この場合では、例えば、ショーツやブリーフ等にも体型調整メカニズムを働かせるための条件を衣類に機能として取り入れることが可能となる。
【００２４】
また、布製殿部５の人体の殿筋部に相当する部位に、布製殿部５の装着に伴う水平方向の収縮距離より同一幅で比較した場合に短くなる機能を備える殿筋作用部１０を備えるものであることも好ましい態様である。こうすることで、布製腹部３と布製殿部５との装着に伴う水平方向の収縮距離の差を更に十分に取ることができ、布製腹部３を効率よく腹部に密着させることができる。
さらに、例えば、ショーツやブリーフ等の衣類に腹部のみならず腰部や殿部にも、体型調整メカニズムを働かせるための条件を機能として取り入れることが可能となり、腰部や殿部の皮膚に対する体軸方向の持続的伸張負荷（殿部の自重）を減少させることができ、殿部下垂の予防や改善もできる（図８）。
【００２５】
また、殿筋作用部１０の装着に伴う水平方向の収縮距離が、装着に伴う体軸方向の収縮距離より同一幅で比較した場合に短くなる機能を備える構造とすることも好ましい。こうすることで、布製本体前面と布製本体背面との装着に伴う水平方向の収縮距離の差を更に効率よく取ることができる。
【００２６】
また、前記衣類に布製脚部１１を備える構造とすることも好ましい。こうすることで、例えば、ガードル、スパッツおよびタイツ等にも体型調整メカニズムを働かせるための条件を衣類に機能として取り入れることが可能となり、衣類の種類を増加させることができる（図９）。
【００２７】
また、前記衣類に布製上半身の一部または全部を備える構造とすることも好ましい。こうすることで、例えば、ボディスーツ、レオタード、水着等にも体型調整メカニズムを働かせるための条件を衣類に機能として取り入れることが可能となり、衣類の種類を増加させることができる。
【００２８】
前述のとおり、本発明は、ウエスト部を有する衣類を構成する布製本体前面の装着に伴う水平方向の収縮距離が、布製本体背面の装着に伴う水平方向の収縮距離より長くなる機能を備えるもので構成されることを基本とする。
以下、図面を用いて本発明の実施例を詳細に説明するが、本発明はこれに限定されるものではない。
図１および図２に示す本発明の第一の実施の形態である腹巻では、布製ウエスト部前面１と布製腹部３とからなる布製本体前面、と、布製ウエスト部背面２と布製腰部４とからなる布製本体背面、とから構成される。
【００２９】
本発明において、布製ウエスト部前面１および布製腹部３は、伸縮性のベア天竺（綿８９％、ポリウレタン１１％）生地からなり、水平方向の収縮距離と体軸方向の収縮距離に差異が生じ、水平方向の収縮距離が体軸方向の収縮距離より長くなる方向で使用し、互いに縫着され、布製本体前面を構成している。
また、布製ウエスト部背面２は、伸縮性のベア天竺（綿８９％、ポリウレタン１１％）生地からなり、水平方向の収縮距離と体軸方向の収縮距離に差異が生じ、水平方向の収縮距離が体軸方向の収縮距離より長くなる方向で使用し、布製腰部４は、布製腹部３で使用した生地を９０度回転させ、体軸方向の収縮距離が、水平方向の収縮距離より長くなる方向で使用し、互いに縫着され、布製本体背面を構成している。
布製本体前面および布製本体背面は、装着者の前後のほぼ中間線で左右が縫着されている。
【００３０】
なお、本発明の第一の実施の形態においては、布製ウエスト部前面１、布製腹部３、布製ウエスト部背面２および布製腰部４は、同一の生地を用い、布製腰部４のみ生地を９０度回転させ、体軸方向の収縮距離が、水平方向の収縮距離より長くなる方向で使用し、布製本体前面の装着に伴う水平方向の収縮距離が、布製本体背面の装着に伴う水平方向の収縮距離より長くなる機能を備えさせたが、部分的に非伸縮性の糸を縫いこむとか、織り込む、また、部分的に非伸縮性の生地を縫いつける、あるいは、それぞれ収縮距離が異なる生地を用いてもよく、結果として、布製本体前面の装着に伴う水平方向の収縮距離が、布製本体背面の装着に伴う水平方向の収縮距離より長くなる機能を備えさせればよい。
【００３１】
また、布製本体前面の装着に伴う水平方向の収縮距離が、布製本体背面の装着に伴う水平方向の収縮距離より長くなる機能を備えていれば、用途やデザインに等に応じ、布製ウエスト部前面１を体軸方向へ伸ばし、布製腹部３を体軸方向に狭くしてもよく、布製ウエスト部背面２を体軸方向へ伸ばし、布製腰部４を体軸方向に狭くしてもよく、布製ウエスト部前面１と布製ウエスト部背面２の体軸方向の長さが同一でなくてもよく、布製腹部３と布製腰部４の体軸方向の長さが同一でなくてもよく、布製本体前面と布製本体背面の体軸方向の長さは同一でなくてもよい。また、体軸方向の縫い合わせ位置が前または後に片寄ってもよい。
【００３２】
また、その形状は筒状としたが、布製本体前面の装着に伴う水平方向の収縮距離が、布製本体背面の装着に伴う水平方向の収縮距離より長くなる機能を備えていれば、用途やデザインに応じ、形状は筒状に限定されるものではない。さらに、用途やデザインに等に応じ、ボタン、ファスナーおよびマジックテープ等を用いてもよい。
なお、本発明を腹巻に用いた第一の実施の形態においては、上記の素材を用いたが、構成する素材としては通気性、柔軟性、保温性、耐久性等に優れたものが好ましい。このような素材としては、例えばナイロン等の化学繊維および絹、麻等の天然繊維等が挙げられる。これらは例示であって制限的なものではない。さらに用途やデザイン等に応じ、プラスチックや金属等の素材を用いてもよい。
【００３３】
次に、本発明をショーツに用いた他の実施の形態を図３および図４を用いて説明する。図３および図４において「衣類」部分と「人体」部分とを区別するために、「人体」部分を破線で記した。
図３および図４に示す本発明の他の実施の形態である生地の少ない股上の浅いショーツは、本発明の第一の実施の形態の腹巻の布製腰部４の装着に伴う体軸方向の収縮距離が、布製ウエスト部背面２の装着に伴う体軸方向の収縮距離より同一幅で比較した場合に長くなる機能を備え、股部分を縫い合わせることによって、布製殿部５および布製股部１２を備える構造とするものである。
【００３４】
本発明のこの他の実施の形態である生地の少ない股上の浅いショーツの前面側を示す図３において、１は布製ウエスト部前面、３は布製腹部、１２は布製股部である。背面側を示す図４において、２は布製ウエスト部背面、４は布製腰部、５は布製殿部である。
布製本体前面は、布製ウエスト部前面１および布製腹部３からなり互いに縫着されている。布製本体背面は、布製ウエスト部背面２および布製腰部４からなり互いに縫着され、布製殿部５が縫着されている。さらに、布製ウエスト部前面１および布製ウエスト部背面２と、布製腹部３および布製殿部５は、装着者の前後のほぼ中間線で左右が互いに縫着され、布製股部１２が縫着されている。また、布製ウエスト部前面１および布製ウエスト部背面２には、図示は省略するが、ゴムが通されている。
【００３５】
本発明の図３、図４に示す実施の形態において、布製ウエスト部前面１、布製ウエスト部背面２および布製腹部３は、伸縮性のベア天竺（綿８９％、ポリウレタン１１％）生地を使用し、水平方向の収縮距離と体軸方向の収縮距離に差異が生じ、水平方向の収縮距離が体軸方向の収縮距離より長くなる方向で構成した。また、布製腰部４は、布製腹部３で使用した生地を９０度回転させ、体軸方向の収縮距離が、水平方向の収縮距離より長くなる方向で使用し、布製腰部４の装着に伴う体軸方向の収縮距離が、布製ウエスト部背面２の装着に伴う体軸方向の収縮距離より同一幅で比較した場合に長くなる方向で構成した。また、布製殿部５は、布製腰部４に使用した生地を用い、布製股部１２は通気性の良い綿素材で構成した。
【００３６】
なお、本発明の他の実施の形態である生地の少ない股上の浅いショーツにおいては、布製ウエスト部前面１、布製ウエスト部背面２および布製腰部４は、人体のウエスト部前面、ウエスト部背面および腰部に位置していない。さらに、布製腹部３や布製殿部５は、人体の腹部や殿部の全部を覆ってはいない。
このように、用途やデザイン等に応じ、衣類の各部名称と身体の部位名称が一致しない場合であっても、布製本体前面の装着に伴う水平方向の収縮距離が、布製本体背面の装着に伴う水平方向の収縮距離より長くなる機能を備えていれば、体型調整メカニズムを働かせるための条件を衣類に機能として取り入れることができ、腹部の皮膚を弛ませ、腹部に軽くしわをよせ、日常的な継続使用により装着者の腹部の形状を根本から整える機能を備えることが可能となる。
【００３７】
なお、本発明をショーツに用いた他の実施の形態においては、上記の素材を用いたが、構成する素材としては通気性、柔軟性、保温性、耐久性等に優れたものが好ましい。このような素材としては、例えばナイロン等の化学繊維および絹、麻等の天然繊維等が挙げられる。これらは例示であって制限的なものではないことは、前述の場合と同様である。以下の素材の記述においても同様である。
【００３８】
次に、本発明をショーツに用いた第３の実施の形態を図５および図６を用いて説明する。図５および図６において「衣類」部分と「人体」部分とを区別するために、「人体」部分を破線で記した。
図３および図４に示す本発明の他の実施の形態であるショーツでは、生地の少ない股上の浅いショーツの場合であったが、図５および図６に示す本発明の第３の実施の形態であるショーツは、生地の多い股上の深いショーツの場合である。
【００３９】
本発明の第３の実施の形態であるショーツの前面側を示す図５において、１は布製ウエスト部前面、３は布製腹部、１２は布製股部である。背面側を示す図６において、２は布製ウエスト部背面、４は布製腰部、５は布製殿部である。布製本体前面は、布製ウエスト部前面１および布製腹部３からなり互いに縫着されている。布製本体背面は、布製ウエスト部背面２および布製腰部４からなり互いに縫着され、布製殿部５が縫着されている。さらに、布製ウエスト部前面１および布製ウエスト部背面２と、布製腹部３および布製殿部５は、装着者の前後のほぼ中間線で左右が互いに縫着され、布製股部１２が縫着されている。また、布製ウエスト部前面１および布製ウエスト部背面２には、図示は省略するが、ゴムが通されている。本発明において、前述の他の実施の形態と同様の生地を同様に用いた。
【００４０】
なお、図５および図６に示す本発明の第３の実施の形態である生地の多い股上の深いショーツでは、図３および図４に示す生地の少ない股上の浅いショーツの布製ウエスト部前面１を体軸方向へ伸ばし、人体のウエスト部前面を覆った。また、布製腹部３を体軸方向へ伸ばし人体の腹部を覆い、布製ウエスト部背面２を体軸方向へ伸ばし人体のウエスト部背面を覆い、さらに、布製殿部５を体軸方向へ伸ばし、人体の殿部を覆った。また、布製腰部４を体軸方向および水平方向へ伸ばし、人体の腰部を覆った。
このように、用途やデザイン等に応じ、衣類各部を体軸方向および水平方向へ増減させる場合であっても、布製本体前面の装着に伴う水平方向の収縮距離が、布製本体背面の装着に伴う水平方向の収縮距離より長くなる機能を備えていれば、体型調整メカニズムを働かせるための条件を衣類に機能として取り入れることでき、腹部の皮膚を弛ませ、腹部に軽くしわをよせ、日常的な継続使用により装着者の腹部の形状を根本から整える機能を備えることが可能となる。
【００４１】
なお、本発明をショーツに用いた第３の実施の形態においては、上記の素材を用いたが、構成する素材としては通気性、柔軟性、保温性、耐久性等に優れたものが好ましい。このような素材としては、例えばナイロン等の化学繊維および絹、麻等の天然繊維等が挙げられる。これらは例示であって制限的なものではない。
【００４２】
次に、本発明をショーツに用いた第４の実施の形態を図７および図８を用いて説明する。
図７および図８に示す本発明の第４の実施の形態である殿筋作用部１０を備えたショーツは、布製腰部４の装着に伴う体軸方向の収縮距離が、布製ウエスト部背面２の装着に伴う体軸方向の収縮距離より同一幅で比較した場合に長くなる機能を備え、布製殿部５の人体の殿筋部に相当する部位に、布製殿部５の装着に伴う水平方向の収縮距離より同一幅で比較した場合に短くなる機能を備える殿筋作用部１０を備え、殿筋作用部１０の装着に伴う水平方向の収縮距離が、装着に伴う体軸方向の収縮距離より同一幅で比較した場合に短くなる機能を備える構造とするものである。
【００４３】
本発明の第４の実施の形態であるショーツの前面側を示す図７において、１は布製ウエスト部前面、３は布製腹部、１２は布製股部である。背面側を示す図８において、２は布製ウエスト部背面、４は布製腰部、５は布製殿部、１０は殿筋作用部である。
布製本体前面は、布製ウエスト部前面１および布製腹部３からなり互いに縫着されている。布製本体背面は、布製ウエスト部背面２および布製腰部４からなり互いに縫着され、布製殿部５が縫着されている。さらに、布製ウエスト部前面１および布製ウエスト部背面２と、布製腹部３および布製殿部５は、装着者の前後のほぼ中間線で左右が互いに縫着され、布製股部１２が縫着されている。さらに、布製殿部５には、人体の殿筋部に相当する部位に、布製殿部５の装着に伴う水平方向の収縮距離より同一幅で比較した場合に短くなる機能を備える殿筋作用部１０が設けられている。また、布製ウエスト部前面１および布製ウエスト部背面２には、図示は省略するが、ゴムが通されている。
【００４４】
本発明の第４の実施の形態において、布製ウエスト部前面１、布製ウエスト部背面２および布製腹部３は、伸縮性のベア天竺（綿８９％、ポリウレタン１１％）生地を使用し、水平方向の収縮距離と体軸方向の収縮距離に差異が生じ、水平方向の収縮距離が体軸方向の収縮距離より長くなる方向で構成した。また、布製腰部４は、布製腹部３で使用した生地を９０度回転させ、体軸方向の収縮距離が、水平方向の収縮距離より長くなる方向で使用し、布製腰部４の装着に伴う体軸方向の収縮距離が、布製ウエスト部背面２の装着に伴う体軸方向の収縮距離より同一幅で比較した場合に長くなる方向で構成した。
また、布製殿部５は、布製腰部４に使用した生地を用い、殿筋作用部１０は、体軸方向には布製腰部４と同等の伸縮機能を有し、水平方向には伸縮機能を有さないレース生地を用い、尾骨近傍から布製殿部５の下辺に接し、布製腹部３の一部に連結する位置に備えた。布製股部１２は通気性の良い綿
素材で構成した。
【００４５】
なお、本発明の第４の実施の形態においては、殿筋作用部１０の起始部を尾骨近傍とし、停止部は布製腹部３の一部としたが、殿筋作用部１０の起始部および停止部は布製殿部５内に留めてもよい。こうすることで、装着者の殿部の局所に対し、より好適に体型調整メカニズムを働かせることが可能となる。
また、布製本体前面の装着に伴う水平方向の収縮距離が、布製本体背面の装着に伴う水平方向の収縮距離より長くなる機能を備えていれば、殿筋作用部１０の起始部や停止部は布製殿部５内に限定されなくてもよく、殿筋作用部１０の下辺が布製殿部５の下辺に接さなくてもよい。また、殿筋作用部１０は本発明の第４の実施の形態のように、左右対称の位置に一対備えることが望ましいが、二対以上でもよく、対をなさなくてもよい。さらに、布製殿部５の装着に伴う水平方向の収縮距離より同一幅で比較した場合に短くなる機能を備えていれば、用途やデザイン等に応じ、その形状および位置等は任意でもよい。
【００４６】
なお、本発明をショーツに用いた第４の実施の形態においては、上記の素材を用いたが、構成する素材としては通気性、柔軟性、保温性、耐久性等に優れたものが好ましい。このような素材としては、例えばナイロン等の化学繊維および絹、麻等の天然繊維等が挙げられる。これらは例示であって制限的なものではない。
【００４７】
次に、本発明をガードルに用いた第５の実施の形態を図９および図１０を用いて説明する。
図９および図１０に示す本発明の第５の実施の形態であるガードルは、布製本体前面を体軸方向の長さで等分し、布製前腹部下部６ａと布製前腹部上部６ｂとし、布製前腹部下部６ａの装着に伴う水平方向の収縮距離が布製前腹部上部６ｂの装着に伴う水平方向の収縮距離より短くなる機能を備え、布製本体背面の全部に水平方向の伸縮機能を備えず、布製本体前面の一部に水平方向の伸縮機能を備えない構造とするものである。
本発明の第５の実施の形態であるガードルを示す図９において、６は布製前腹部（布製ウエスト部前面１の大半と布製腹部３の大半）、６ａは布製前腹部下部、６ｂは布製前腹部上部、７は布製側腹部（布製腹部３の一部）、１１は布製脚部、１２は布製股部である。図９に示したガードルの背面を示す図１０において、５は布製殿部、８は布製背腰部（布製ウエスト部背面２の大半と布製腰部４の大半）、９は布製背腰外側部（布製ウエスト部背面２の一部と布製腰部４の一部）、１１は布製脚部である。
【００４８】
布製ウエスト部前面１の大半と布製腹部３の大半からなる布製前腹部６は、ポリウレタン（弾性繊維）糸を縦糸として使用し、中庸の伸縮機能を有するナイロン糸にポリウレタン糸を交編させた縦編の生地で構成し、水平方向の伸縮機能を備える構造とし、布製ウエスト部背面２の大半と布製腰部４の大半からなる布製背腰部８、布製殿部５、布製側腹部７および布製ウエスト部背面２の一部と布製腰部４の一部からなる布製背腰外側部９は、綿糸を使用した綾織り生地で構成し伸縮機能を備えない構造とした。
このことで、伸縮機能を有する布製前腹部６が、伸縮機能を有さない布製背腰部８、布製殿部５、布製側腹部７および布製背腰外側部９より、装着に伴う水平方向の収縮距離が長くなる機能を備える構成とした。
【００４９】
さらに、布製前腹部６の形状を下辺より上辺が長い台形状とし、布製本体前面を体軸方向の長さで等分し、布製前腹部下部６ａと布製前腹部上部６ｂとし、布製前腹部下部６ａの装着に伴う水平方向の収縮距離が、布製前腹部上部６ｂの装着に伴う水平方向の収縮距離より短くなる機能を備える構成とした。
なお、本発明をガードルに用いたために備えた布製股部１２は通気性の良い綿素材で構成し、布製脚部１１は、装着者の大腿部に不快感を与えずにフィットするポリウレタンを使用した縦編の生地で構成した。
【００５０】
本発明の第５の実施の形態において、布製前腹部６は、下辺と上辺に水平方向の収縮距離の差異を有さない生地を用い、その形状を下辺より上辺が長い台形状とし、布製前腹部下部６ａの装着に伴う水平方向の収縮距離が布製前腹部上部６ｂの装着に伴う水平方向の収縮距離より短くなる機能を備えたが、下辺と上辺に水平方向の収縮距離の差異を有する生地を用いてもよく、結果として布製前腹部下部６ａの装着に伴う水平方向の収縮距離が布製前腹部上部６ｂの装着に伴う水平方向の収縮距離より短くなる機能を備えていればよい。
また、布製本体背面の全部に水平方向の伸縮機能を備えず、さらに、布製本体前面の一部に水平方向の伸縮機能を備えない構造とするために、布製本体背面と布製本体前面の一部に綿糸を使用した綾織り生地で構成し伸縮機能を備えない構造としたが、これらは例示であって制限的なものではなく、結果として布製本体背面の一部または全部に水平方向の伸縮機能を備えず、また、布製本体前面の一部に水平方向の伸縮機能を備えなければよい。
また、布製脚部１１の長さは、膝上、膝下または足首あるいは爪先までといったように、用途やデザイン等に応じ、任意の長さでよい。また、第５の実施の形態においては、腹部に対して密着して装着する衣類であるが、腰部、殿部、股部および脚部に対しては、用途やデザインに応じ、必ずしも密着しなくてもよい。
【００５１】
本発明をガードルに用いた第５の実施の形態においては、上記の素材を用いたが、構成する素材としては通気性、柔軟性、保温性、耐久性等に優れたものが好ましい。このような素材としては、例えばナイロン等の化学繊維および絹、麻等の天然繊維等が挙げられる。これらは例示であって制限的なものではない。
【００５２】
次に、本発明をガードルに用いた第６の実施の形態を図１１および図１２を用いて説明する。
図１１および図１２に示す本発明の第６の実施の形態であるガードルは、布製腰部４の装着に伴う体軸方向の収縮距離が、布製ウエスト部背面２の装着に伴う体軸方向の収縮距離より同一幅で比較した場合に長くなる機能を備え、布製本体前面の内面に装着に伴う体軸方向の滑り止め機能を備え、布製本体背面の一部に水平方向の伸縮機能を備えず、布製殿部５の人体の殿筋部に相当する部位に、布製殿部５の装着に伴う水平方向の収縮距離より同一幅で比較した場合に短くなる機能を備える殿筋作用部１０を備え、殿筋作用部１０の装着に伴う水平方向の収縮距離が、装着に伴う体軸方向の収縮距離より同一幅で比較した場合に短くなる機能を備える構造とするものである。
【００５３】
本発明の第６の実施の形態であるガードルを示す図１１において、１は布製ウエスト部前面、３は布製腹部、１１は布製脚部、１２は布製股部である。図１１に示したガードルの背面を示す図１２において、２は布製ウエスト部背面、４は布製腰部、５は布製殿部、１０は殿筋作用部、１１は布製脚部である。布製ウエスト部前面１および布製腹部３は、伸縮性のナイロンベア天竺  （ナイロン８５％、ポリウレタン１５％）  生地を使用し、水平方向の収縮距離と体軸方向の収縮距離に差異が生じ、水平方向の収縮距離が体軸方向の収縮距離より長くなる方向で構成した。布製腹部３の内面に、伸縮性の生地に伸縮性を有する糸を大きく畝状に編み体軸方向に凸凹を有する加工を施した伸縮性の生地（図１３）を当て布として使用した。布製腹部３の内面の当て布は、布製腹部３の生地より水平方向および体軸方向の伸縮性に優れている。
【００５４】
また、布製ウエスト部背面２は、伸縮性のナイロンベア天竺  （ナイロン８５％、ポリウレタン１５％）  生地に伸縮性を備えない綿糸を縫い込み相対的に水平方向の収縮距離に差異を設け布製腰部４および布製殿部５は、布製腹部３に使用した生地を９０度回転させ、体軸方向の収縮距離が、水平方向の収縮距離より長くなる方向で使用し構成した。また、殿筋作用部１０は、体軸方向には布製腰部４と同等の伸縮機能を有し、水平方向には伸縮機能を有さないレース生地を用い、尾骨近傍に接さず布製殿部５の下辺に接し、布製腹部３に連結する位置に備えた。
なお、本発明をガードルに用いたために備えた布製股部１２は通気性の良い綿素材で構成し、布製脚部１１は、装着者の大腿部に不快感を与えずにフィットするポリウレタンを使用した生地で構成した。
【００５５】
本発明の第６の実施の形態においては、伸縮性の生地に伸縮性を有する糸を大きく畝状に編み体軸方向に凸凹を有する加工を施した伸縮性の生地（図１３）を当て布とし、布製腹部３の内面に使用し、体軸方向の滑り止め機能を備えたが、体軸方向の滑り止め機能を備えるためには、ゴムテープを編立てる時に、体軸方向に等間隔でポリウレタンをむき出しにして編立てる事で、滑り止めとし布製本体前面の内面生地としてもよく、布製本体前面の内面生地にシリコン等をゼリー状にし、体軸方向に等間隔で生地表面またはゴムテープに乗せて熱風乾燥させる等の後加工を施してもよい。
また、これらを設ける部位は、布製腹部３の内面に限らない。布製ウエスト部前面１の内面に設けてもよく、布製本体前面の外面や多層構造の場合はその内部に設けてもよく、結果として、布製本体前面の一部または全部に装着に伴う体軸方向の滑り止め機能を備えればよい。
また、本発明の第６の実施の形態においては、明確な布製股部１２を設けているが、用途やデザインに応じ、該衣類が人体の股部を覆っていれば明確な布製股部１２を設けなくてもよい。さらに、用途やデザインに応じ、ボタン、ファスナーおよびマジックテープ等を用いてもよい。
【００５６】
なお、本発明の第６の実施の形態においては、殿筋作用部１０は尾骨近傍に接さず、起始部を布製殿部５の下辺とし、停止部は布製腰部４の一部としたが、用途やデザインに等に応じ、殿筋作用部１０の起始部および停止部は布製殿部５内に留めてもよい。また、布製本体前面の装着に伴う水平方向の収縮距離が、布製本体背面の装着に伴う水平方向の収縮距離より長くなる機能を備えていれば、殿筋作用部１０の起始部や停止部は布製殿部５内に限定されなくてもよく、殿筋作用部１０の下辺が布製殿部５の下辺に接さなくてもよい。また、殿筋作用部１０は本発明の第４の実施の形態のように、左右対称の位置に一対備えることが望ましいが、二対以上でもよく、対をなさなくてもよい。さらに、布製殿部５の装着に伴う水平方向の収縮距離より同一幅で比較した場合に短くなる機能を備えていれば、用途やデザイン等に応じ、その形状および位置等は任意でもよい。
【００５７】
本発明をガードルに用いた第６の実施の形態においては、上記の素材を用いたが、構成する素材としては通気性、柔軟性、保温性、耐久性等に優れたものが好ましい。このような素材としては、例えばナイロン等の化学繊維および絹、麻等の天然繊維等が挙げられる。これらは例示であって制限的なものではない。
【００５８】
図１〜図１２に示されるものは、いずれも、本発明の基本的構造を備えている。このことにより、本発明のウエスト部を有する衣類は、腹部への強い押圧力によらずに、体型調整メカニズムを働かせるための条件を衣類に機能として取り入れることで、腹部の皮膚を弛ませ、腹部に軽くしわをよせ、日常的な継続使用により装着者の腹部の形状を整える機能を備えることが可能となる。
【００５９】
ここで、本明細書でいう密着して装着する衣類とは、身体の表面に直接に接して密着する場合に限らず、他の下着類を介して身体に密着する場合も含むものである。
また、本明細書では、立位での上下方向を体軸方向と呼ぶ。また、立位での足から頭の方向を上方向と呼ぶ。さらに、体軸方向に対して９０度をなす方向を水平方向と呼ぶ。また、非装着時の布製本体を腹部側と腰部側に等分し、腹部側を布製本体前面と呼び、腰部側を布製本体背面と呼ぶ。
さらに、該衣類を構成する布製ウエスト部前面１、布製ウエスト部背面２、布製腹部３、布製腰部４、布製殿部５および布製股部１２は次のように定める。該衣類の布製本体上辺が装着者の上腹部に位置する場合、布製本体前面において、装着者の上腹部に位置する部位を布製ウエスト部前面１と呼び、下腹部に位置する部位を布製腹部３と呼ぶが、該衣類構成のデザイン等において、布製本体上辺が装着者の上腹部に位置しない場合や布製ウエスト部前面１が不明瞭な場合等においては、布製本体の上部に位置し、その部位を取り除いた場合に布製本体の装着位置の保持に不都合を生じる部位を布製ウエスト部前面１と呼び、布製本体前面から布製ウエスト部前面１を取り除いた部位を布製腹部３と呼び、デザイン等によりそれらの体軸方向の位置や幅は一定ではない。
【００６０】
布製本体背面に位置し、布製ウエスト部前面１に対応する部位を布製ウエスト部背面２と呼び、布製本体背面に位置し、布製腹部３に対応する部位を布製腰部４と呼ぶ。また、布製殿部５、布製股部１２とは装着者の殿部、股部に位置する部位を呼ぶ。
なお、本件発明は衣類以外を想定しているものではないが、衣類の種類等によっては、衣類の各部名称と身体の部位名称が一致しない場合があるため、本明細書において衣類と身体の部位の混同を避けるため、衣類には「布製」の語を付加したが、用途やデザインに応じ、布製とは異なるプラスチックや金属等の素材を用いる場合もある。
【実施例】
【００６１】
続いて、図７および図８に示したショーツのモニター試験結果について説明する。このモニター試験では、１０代から６０代の１４名の社外モニターに対し、モニター自身が装着しているショーツやタイツ等の上に、図７および図８に示したショーツと同等の構造を有するサンプルショーツを重ねて装着させた後、腹部を強く圧迫していないか、ウエストを過剰に締め付けていないか等の装着感を調べ、腹部および殿部の形状の変化をモニター自身に鏡で確認させた。さらに、サンプルショーツ非装着時とサンプルショーツ装着時の殿部の位置の変化を比較するため、モニターの背を壁に接して立たせ、壁に接する殿部の位置の変化をモニター自身の感覚で確認させた。
なお、このモニター試験ではサンプルショーツの装着感について調査することを目的としているため、サンプルショーツの機能の詳細についてはモニターに告げず、モニター試験を行った。
【００６２】
このモニター試験の結果、サンプルショーツを装着した時点（鏡や壁を使用する前）で、１４名中３名が「殿部の形状の変化を感じる」と答えた。
サンプルショーツの装着感に関し、各モニターからは、「腹部への圧迫は感じない」（１４名中１４名）、「ウエスト部への圧迫は感じない」（１４名中１４名）、「腰部への圧迫は感じない」（１４名中１４名）、という回答が得られた。また、壁に接する殿部の位置の変化を確認させた結果、「壁に接する殿部の位置が高くなった」（１４名中１２名）、「わからない」（１４名中２名）、という回答が得られた。さらに、モニター試験を終え、サンプルショーツ非装着となった時、もう一度、壁に接する殿部の位置を確認させたところ、「壁に接する殿部の位置が低くなった」（１４名中１４名）、という回答が得られた。
【００６３】
続いて、図３および図４に示したショーツのモニター試験結果について説明する。このモニター試験では、３０代から６０代の４名のモニター（社内３名、社外１名）に対し、図３および図４に示したショーツと同等の構造を有するサンプルを４ヶ月間継続使用させた後、腹部を強く圧迫していないか、ウエストを過剰に締め付けていないか等の装着感および継続使用による体型の変化について調べた。
このモニター試験の結果、サンプルショーツの装着感に関し、各モニターからは、「腹部への圧迫は感じない」（４名中４名）、「ウエスト部への圧迫は感じない」（４名中４名）、「腰部への圧迫は感じない」（４名中４名）、という回答が得られた。継続使用による体型の変化に関し、「腹部の形状の変化を自覚できる」（４名中３名）、「腰部の形状の変化を自覚できる」（４名中４名）、「殿部の形状の変化を自覚できる」（４名中３名）、「体型の変化を周囲から指摘される」（４名中４名）、という回答が得られた。
【産業上の利用可能性】
【００６４】
本発明は、腹部への強い押圧力によらずに、衣類の装着に伴う収縮距離の差異によって生じる作用と衣類と皮膚との摩擦を考慮し、皮膚に対する持続的伸張負荷を軽減することで、持続的伸張負荷が減少すると縮むという皮膚の生理的性質を作用させ、体型調整メカニズムを働かせるための条件を衣類に機能として取り入れることで、腹部の皮膚を弛ませ、腹部に軽くしわをよせ、日常的な継続使用により、産後や急激な痩せに伴う腹部のたるみのみならず、装着者の腹部の形状を根本から整える機能を備えた衣類を提供することができ、さらに、腹部のみならず腰部や殿部にも、体型調整メカニズムを働かせるための条件を機能として取り入れることが可能となり、衣料業界に貢献する処大である。
【符号の説明】
【００６５】
１：布製ウエスト部前面
２：布製ウエスト部背面
３：布製腹部
４：布製腰部
５：布製殿部
６：布製前腹部（布製ウエスト部前面１の大半と布製腹部３の大半）
６ａ：布製前腹部下部
６ｂ：布製前腹部上部
７：布製側腹部（布製腹部３の一部）
８：布製背腰部（布製ウエスト部背面２の大半と布製腰部４の大半）
９：布製背腰外側部（布製ウエスト部背面２の一部と布製腰部４の一部）
１０：殿筋作用部
１１：布製脚部
１２：布製股部
２１、２２：伸縮性腹部裏打ち布
【図１】
2011017116.tif 000003
【図２】
2011017116.tif 000004
【図３】
2011017116.tif 000005
【図４】
2011017116.tif 000006
【図５】
2011017116.tif 000007
【図６】
2011017116.tif 000008
【図７】
2011017116.tif 000009
【図８】
2011017116.tif 000010
【図９】
2011017116.tif 000011
【図１０】
2011017116.tif 000012
【図１１】
2011017116.tif 000013
【図１２】
2011017116.tif 000014
【図１３】
2011017116.tif 000015
【図１４】
2011017116.tif 000016
【手続補正書】
【提出日】平成22年5月6日(2010.5.6)
【手続補正１】
【補正対象書類名】特許請求の範囲
【補正対象項目名】全文
【補正方法】変更
【補正の内容】
【特許請求の範囲】
【請求項１】
布製ウエスト部前面と布製腹部との各一重で一片からなる布製本体前面と、布製ウエスト部背面と布製腰部との各一重で一片からなる布製本体背面とから構成されるウエスト部を有する衣類であって、前記布製本体前面の装着に伴う水平方向の収縮距離が、前記布製本体背面の装着に伴う水平方向の収縮距離より長くなる機能を備えるものであることを特徴とするウエスト部を有する衣類。
【請求項２】
更に、布製股部を備える請求項１に記載のウエスト部を有する衣類。
【請求項３】
更に、布製殿部を備える請求項２に記載のウエスト部を有する衣類。
【請求項４】
更に、前記布製殿部の人体の殿筋部に相当する部位に、前記布製殿部の装着に伴う水平方向の収縮距離より同一幅で比較した場合に短くなる機能を備える殿筋作用部を備える請求項３に記載のウエスト部を有する衣類。
【請求項５】
更に、布製上半身の一部または全部を備える請求項４に記載のウエスト部を有する衣類。
【手続補正２】
【補正対象書類名】明細書
【補正対象項目名】全文
【補正方法】変更
【補正の内容】
【発明の詳細な説明】
【技術分野】
【０００１】
本発明は、ウエスト部を有する衣類であって、産後の腹部の形状が整っていくメカニズムと同様のメカニズムを働かせるための条件を組み込んだ衣類に関する。
【背景技術】
【０００２】
従来、特にウエストを中心として、自分の体型を美しく見せたいという強いニーズがある。このようなニーズに応えるために、ウエスト部を有する衣類、特に、身体に密着して装着する衣類においては、腹部のたるみなどによる膨出、特に下腹部の膨出、を抑え、装着者をより美しく見せるための機能を備えたものが汎用されている。
【０００３】
しかし、膨出を抑えるために腹部を強く圧迫し、または、ウエストを過剰に締め付けることは、装着者に不快感や苦痛を与えるので、好ましいものとは言えない。また、それらは装着時にのみ効果を発揮するものであった。一部では、ウエスト部を有する衣類、特に、身体に密着して装着する衣類においては、装着者の腹部の形状を整えることができ、さらに装着者の腹部を強く圧迫、または、ウエストを過剰に締め付けることのないものが提案されている（例えば、特許文献１参照）。
【０００４】
特許文献１には、図１４に示すように、伸縮性の衣料本体表布に縫合された伸縮性腹部裏打ち布２１、２２の斜め上方向の収縮力により着用時に下腹部を斜め上方に引き上げ、着用完了後にはより強い押圧によりこの状態を保持し、腹部を美しい形状に整形し維持することができるガードルが提案されている。
【０００５】
このように、上記を含む従来のウエスト部を有する衣類では、着衣時に、外見上、膨出した腹部の形状を整える手段として腹部を押圧することを重視し、腹部全体や局所を効率よく押圧する機能が提案されている。
着衣時に膨出した腹部の形状を整え、より美しく見せたいというニーズに応えるためには、それ相当に腹部を押圧する力（以下、押圧する力を押圧力と呼ぶ）を備える必要が生じる。時として、装着者の膨出した腹部の形状を整えるために必要な押圧力が腹部の筋肉や内臓を強く圧迫し、装着者に不快感や苦痛を与える。しかも、脱衣時には、元の体型に戻ってしまう。
ゆえに、装着者の腹部の形状を整えることができ、さらに装着者の腹部を強く圧迫、または、ウエストを過剰に締め付けることのないものという条件を満たすことは容易ではないというのが現状であった。
【先行技術文献】
【特許文献】
【０００６】
【特許文献１】特開２００７−２４７１１７号公報
【発明の概要】
【発明が解決しようとする課題】
【０００７】
本発明は、上記の事情に鑑み、腹部への強い押圧力によらずに装着時の体型調整ができ、しかも、徐々に体型そのものが修正されていくことができる衣類を提供することを課題とする。
【課題を解決するための手段】
【０００８】
上記課題を解決するため、本発明のウエスト部を有する衣類は、布製ウエスト部前面１と布製腹部３との各一重で一片からなる布製本体前面と、布製ウエスト部背面２と布製腰部４との各一重で一片からなる布製本体背面とから構成されるウエスト部を有する衣類であって、前記布製本体前面の装着に伴う水平方向の収縮距離が、前記布製本体背面の装着に伴う水平方向の収縮距離より長くなる機能を備えるものであることを特徴とする。
更に、布製股部１２を備えるものであること、更に、布製殿部５を備えるものであること、更に、前記布製殿部５の人体の殿筋部に相当する部位に、前記布製殿部５の装着に伴う水平方向の収縮距離より同一幅で比較した場合に短くなる機能を備える殿筋作用部１０を備えるものであること、そして更に、布製上半身の一部または全部を備えるものであること、が、それぞれ好ましい。
【発明の効果】
【０００９】
本発明の衣類によれば、腹部への強い押圧力によらずに、産後の腹部の形状が整っていくメカニズムと同様のメカニズム（以下、体型調整メカニズムという）を働かせるための条件を衣類に機能として取り入れることで、装着時に腹部の皮膚を弛ませ、腹部に軽くしわをよせ、且つ、日常的な継続使用により装着者の腹部の形状を根本から整える機能（体型そのものを身体の生理作用を利用し修正する機能）を備えた衣類を提供することが可能となる。さらに、腹部のみならず腰部や殿部にも、体型調整メカニズムを働かせるための条件を機能として取り入れることが可能となる。
【図面の簡単な説明】
【００１０】
【図１】本発明の第１の実施の形態を示す衣類である腹巻の正面説明図である。
【図２】図１に示した衣類である腹巻の背面説明図である。
【図３】本発明の他の実施の形態である生地の少ない股上の浅いショーツの装着状態における正面説明図である。
【図４】図３に示したショーツの装着状態における背面説明図である。
【図５】本発明の第３の実施の形態である生地の多い股上の深いショーツの装着状態における正面説明図である。
【図６】図５に示したショーツの装着状態における背面説明図である。
【図７】本発明の第４の実施の形態である殿筋作用部１０を備えたショーツを示す正面説明図である。
【図８】図７に示したショーツの背面説明図である。
【図９】本発明の第５の実施の形態であるガードルを示す正面説明図である。
【図１０】図９に示したガードルの背面説明図である。
【図１１】本発明の第６の実施の形態である殿筋作用部１０を備えたガードルを示す正面説明図である。
【図１２】図１１に示したガードルの背面説明図である。
【図１３】図１１に示したガードルの腹部に備えた当て布である。
【図１４】従来技術のガードルの着用状態における正面図である。
【発明を実施するための形態】
【００１１】
本発明者は、鋭意研究を重ねていく過程で、腹部のたるみが腹部の皮膚に加わる物理的な力と密接に関係していることを知見した。
皮膚には、苦痛を伴わない程度の負荷となる持続的な伸張力（以下、持続的伸張負荷と呼ぶ）が加わると伸び、持続的伸張負荷が減少すると縮むという生理的性質がある。
この生理的性質を、出産前後の腹部の皮膚を例として説明する。
妊娠経過に従い、胎児の重さ（大きさ）は妊婦の体内で増加していく。この胎児の重さの増加は、妊婦の腹部の皮膚に対する体内からの持続的伸張負荷となる。すると、腹部の皮膚は、持続的伸張負荷が加わると伸びるという皮膚の生理的性質に従い伸び、腹部は膨出する。
出産に伴い、胎児の影響による腹部の膨出は消失するが、腹部の皮膚は伸びたままで、著しくたるんでいる。しかし、同時に出産に伴い胎児の影響による持続的伸張負荷が消失する。すると、腹部の皮膚は、持続的伸張負荷が減少すると縮むという皮膚の生理的性質に従い、時間の経過と共に縮み、腹部の形状は妊娠前の体型へと整っていく。
【００１２】
このように、産後の腹部のたるみが一時的なもので、時間の経過に伴い整っていくのは、腹部の皮膚への持続的伸張負荷が減少したことによるものであり、これが産後の腹部の形状が整っていくメカニズムである。このメカニズムと同様の体型調整メカニズムを利用すれば、妊娠時以外の腹部膨出や産後以外の腹部のたるみに対しても同様に、体型の形状を根本から整えることが可能となる。この体型調整メカニズムを働かせるためには、腹部の皮膚への持続的伸張負荷を減少させることが不可欠な条件となる。
また、身体の形状を整える手段として歯列矯正があるが、この歯列矯正も物理的な強い押圧力によるものではなく、苦痛を伴わない程度の持続的な負荷によって生じる骨の生理的性質（破骨細胞と骨芽細胞の性質）を利用している。
【００１３】
このように、身体が持つ生理的性質を利用して身体の形状を整えるには、苦痛を伴わない程度の持続的な負荷が肝要となる。
ここで、腹部の皮膚を水平方向から弛ませ、腹部に軽くしわをよせ、腹部の皮膚への持続的伸張負荷を減少させることは有効な手段となる。この有効な手段を衣類に機能として取り入れることで、体型調整メカニズムが働き、老若男女を問わず、腹部の筋肉や内臓を強い押圧力で圧迫することなく、日常的な継続使用により腹部の形状を整えることが可能となる。この観点から見ると、従来の衣類においては、腹部の皮膚に対する持続的伸張負荷に対する考慮がなされていないことがわかる。
【００１４】
そこで、本発明者は、装着者の腹部を強く圧迫、または、ウエストを過剰に締め付けず、装着者に不快感や苦痛を与えないために、腹式呼吸等に伴う腹囲の増減に追従できる伸縮性を有する生地を選択した。さらに、選択し、それらを組み合わせて衣類を構成することを着想した。すなわち、生地から試験片を切り出し、所定の力を加えてその伸びた長さを測定する。そして、この測定した、引き伸ばした状態の数値から、引き伸ばす前の状態の数値を差し引いた長さ（以下、収縮距離と呼ぶ）を求め、収縮距離が異なる素材を組み合わせる。この収縮距離が異なる生地を組み合わせることによって生じる、衣類の各部における収縮距離の差異によって生じる作用（装着する際に一定の力で押し広げた場合、収縮距離の長い部位は、収縮距離の短い部位よりさらに伸びる。すなわち、装着時において収縮距離の最も長い部位が最も縮む）と衣類と皮膚との摩擦を考慮すれば、体型調整メカニズムを働かせるための手段を衣類に機能として取り入れることができ、腹部の皮膚を弛ませ、腹部に軽くしわをよせ、日常的な継続使用により装着者の腹部の形状を根本から整える機能を備えた衣類を提供することができるとの知見を得て、本発明を完成するに至った。
【００１５】
以下、図面を用いて本発明の実施例を詳細に説明するが、本発明はこれに限定されるものではない。
前述のとおり、本発明は、ウエスト部を有する衣類を構成する布製本体前面の装着に伴う水平方向の収縮距離が、布製本体背面の装着に伴う水平方向の収縮距離より長くなる機能を備えるもので構成されることを基本とする。
図１および図２に示す本発明の第１の実施の形態である腹巻では、布製ウエスト部前面１と布製腹部３とからなる布製本体前面、と、布製ウエスト部背面２と布製腰部４とからなる布製本体背面、とから構成される。該衣類において、布製本体前面の装着に伴う水平方向の収縮距離が、布製本体背面の装着に伴う水平方向の収縮距離より長くなる機能を備えるもので構成されるようにする。
【００１６】
この衣類では、装着者の実測腹囲より、適度に腹囲が短いサイズを適正サイズとするため、装着者は適正サイズを選択し、引き伸ばしながら装着する。そのため装着により衣類と皮膚との間に摩擦が生じる。さらに、腹部に密着する布製本体前面の装着に伴う水平方向の収縮距離が、背側の腰部に密着する布製本体背面の装着に伴う水平方向の収縮距離より長くなるという差異を設けているため、衣類の装着に伴う収縮距離の度合は、腹部に密着する布製本体前面が最大となり、腹部の皮膚を背側の腰部の皮膚より水平方向に弛ませ、腹部に軽くしわをよせる機能を備えることができるのである。
【００１７】
このことで、衣類の装着に伴い、腹部の皮膚は水平方向に弛ませられ、腹部の皮膚への水平方向の持続的伸張負荷を軽減することができる。すると、持続的伸張負荷が減少すると縮むという皮膚の性質が作用し、体型調整メカニズムが働き、腹部の皮膚を縮ませる効果を生じさせ、腹部の形状を根本から整えることができる。したがって、本発明のウエスト部を有する衣類では、腹部への強い押圧力によらなくても、体型調整メカニズムを働かせるための条件を衣類に機能として取り入れることができ、腹部の皮膚を弛ませ、腹部に軽くしわをよせ、日常的な継続使用により装着者の腹部の形状を根本から整える機能を備えることが可能となる。
【００１８】
具体的には、本発明の第１の実施の形態において、布製ウエスト部前面１および布製腹部３は、伸縮性のベア天竺（綿８９％、ポリウレタン１１％）生地からなり、水平方向の収縮距離と体軸方向の収縮距離に差異が生じ、水平方向の収縮距離が体軸方向の収縮距離より長くなる方向で使用し、互いに縫着され、布製本体前面を構成している。
また、布製ウエスト部背面２は、伸縮性のベア天竺（綿８９％、ポリウレタン１１％）生地からなり、水平方向の収縮距離と体軸方向の収縮距離に差異が生じ、水平方向の収縮距離が体軸方向の収縮距離より長くなる方向で使用し、布製腰部４は、布製腹部３で使用した生地を９０度回転させ、体軸方向の収縮距離が、水平方向の収縮距離より長くなる方向で使用し、互いに縫着され、布製本体背面を構成している。
布製本体前面および布製本体背面は、装着者の前後のほぼ中間線で左右が縫着されている。
【００１９】
なお、本発明の第１の実施の形態においては、布製ウエスト部前面１、布製腹部３、布製ウエスト部背面２および布製腰部４は、同一の生地を用い、布製腰部４のみ生地を９０度回転させ、体軸方向の収縮距離が、水平方向の収縮距離より長くなる方向で使用し、布製本体前面の装着に伴う水平方向の収縮距離が、布製本体背面の装着に伴う水平方向の収縮距離より長くなる機能を備えさせたが、部分的に非伸縮性の糸を縫いこむとか、織り込む、また、部分的に非伸縮性の生地を縫いつける、あるいは、それぞれ収縮距離が異なる生地を用いてもよく、結果として、布製本体前面の装着に伴う水平方向の収縮距離が、布製本体背面の装着に伴う水平方向の収縮距離より長くなる機能を備えさせればよい。
【００２０】
また、布製本体前面の装着に伴う水平方向の収縮距離が、布製本体背面の装着に伴う水平方向の収縮距離より長くなる機能を備えていれば、用途やデザインに等に応じ、布製ウエスト部前面１を体軸方向へ伸ばし、布製腹部３を体軸方向に狭くしてもよく、布製ウエスト部背面２を体軸方向へ伸ばし、布製腰部４を体軸方向に狭くしてもよく、布製ウエスト部前面１と布製ウエスト部背面２の体軸方向の長さが同一でなくてもよく、布製腹部３と布製腰部４の体軸方向の長さが同一でなくてもよく、布製本体前面と布製本体背面の体軸方向の長さは同一でなくてもよい。また、体軸方向の縫い合わせ位置が前または後に片寄ってもよい。
【００２１】
また、その形状は筒状としたが、布製本体前面の装着に伴う水平方向の収縮距離が、布製本体背面の装着に伴う水平方向の収縮距離より長くなる機能を備えていれば、用途やデザインに応じ、形状は筒状に限定されるものではない。さらに、用途やデザインに等に応じ、ボタン、ファスナーおよびマジックテープ等を用いてもよい。
なお、本発明を腹巻に用いた第１の実施の形態においては、上記の素材を用いたが、構成する素材としては通気性、柔軟性、保温性、耐久性等に優れたものが好ましい。このような素材としては、例えばナイロン等の化学繊維および絹、麻等の天然繊維等が挙げられる。これらは例示であって制限的なものではない。さらに用途やデザイン等に応じ、プラスチックや金属等の素材を用いてもよい。
【００２２】
次に、本発明をショーツに用いた他の実施の形態を図３および図４を用いて説明する。図３および図４において「衣類」部分と「人体」部分とを区別するために、「人体」部分を破線で記した。
図３および図４に示す本発明の他の実施の形態である生地の少ない股上の浅いショーツは、本発明の第１の実施の形態の腹巻の布製腰部４の装着に伴う体軸方向の収縮距離が、布製ウエスト部背面２の装着に伴う体軸方向の収縮距離より同一幅で比較した場合に長くなる機能を備え、股部分を縫い合わせることによって、布製股部１２を備える構造とするものである。なお、布製腰部４は、人体の殿部を覆うものであることから、布製殿部５とも言うことがある。
【００２３】
本発明のこの他の実施の形態である生地の少ない股上の浅いショーツの前面側を示す図３において、１は布製ウエスト部前面、３は布製腹部、１２は布製股部である。背面側を示す図４において、２は布製ウエスト部背面、４は布製腰部、また、５は布製殿部でもある。
布製本体前面は、布製ウエスト部前面１および布製腹部３からなり互いに縫着されている。布製本体背面は、布製ウエスト部背面２および布製腰部４（布製殿部５）からなり互いに縫着されている。さらに、布製ウエスト部前面１および布製ウエスト部背面２と、布製腹部３および布製殿部５は、装着者の前後のほぼ中間線で左右が互いに縫着され、布製股部１２が縫着されている。また、布製ウエスト部前面１および布製ウエスト部背面２には、図示は省略するが、ゴムが通されている。
【００２４】
本発明の図３、図４に示す他の実施の形態において、布製ウエスト部前面１、布製ウエスト部背面２および布製腹部３は、伸縮性のベア天竺（綿８９％、ポリウレタン１１％）生地を使用し、水平方向の収縮距離と体軸方向の収縮距離に差異が生じ、水平方向の収縮距離が体軸方向の収縮距離より長くなる方向で構成した。また、布製腰部４（布製殿部５）は、布製腹部３で使用した生地を９０度回転させ、体軸方向の収縮距離が、水平方向の収縮距離より長くなる方向で使用し、布製腰部４の装着に伴う体軸方向の収縮距離が、布製ウエスト部背面２の装着に伴う体軸方向の収縮距離より同一幅で比較した場合に長くなる方向で構成した。また、布製股部１２は通気性の良い綿素材で構成した。
【００２５】
なお、本発明の他の実施の形態である生地の少ない股上の浅いショーツにおいては、布製ウエスト部前面１、布製ウエスト部背面２および布製腰部４は、人体のウエスト部前面、ウエスト部背面および腰部に位置していない。さらに、布製腹部３や布製殿部５は、人体の腹部や殿部の全部を覆ってはいない。
このように、用途やデザイン等に応じ、衣類の各部名称と身体の部位名称が一致しない場合であっても、布製本体前面の装着に伴う水平方向の収縮距離が、布製本体背面の装着に伴う水平方向の収縮距離より長くなる機能を備えていれば、体型調整メカニズムを働かせるための条件を衣類に機能として取り入れることができ、腹部の皮膚を弛ませ、腹部に軽くしわをよせ、日常的な継続使用により装着者の腹部の形状を根本から整える機能を備えることが可能となる。
【００２６】
なお、本発明をショーツに用いた他の実施の形態においては、上記の素材を用いたが、構成する素材としては通気性、柔軟性、保温性、耐久性等に優れたものが好ましい。このような素材としては、例えばナイロン等の化学繊維および絹、麻等の天然繊維等が挙げられる。これらは例示であって制限的なものではないことは、前述の場合と同様である。以下の素材の記述においても同様である。
【００２７】
次に、本発明をショーツに用いた第３の実施の形態を図５および図６を用いて説明する。図５および図６において「衣類」部分と「人体」部分とを区別するために、「人体」部分を破線で記した。
図３および図４に示す本発明の他の実施の形態であるショーツでは、生地の少ない股上の浅いショーツの場合であったが、図５および図６に示す本発明の第３の実施の形態であるショーツは、生地の多い股上の深いショーツの場合である。
【００２８】
本発明の第３の実施の形態であるショーツの前面側を示す図５において、１は布製ウエスト部前面、３は布製腹部、１２は布製股部である。背面側を示す図６において、２は布製ウエスト部背面、４は布製腰部、５は布製殿部である。布製本体前面は、布製ウエスト部前面１および布製腹部３からなり互いに縫着されている。布製本体背面は、布製ウエスト部背面２および布製腰部４からなり互いに縫着され、布製殿部５が縫着されている。さらに、布製ウエスト部前面１および布製ウエスト部背面２と、布製腹部３および布製殿部５は、装着者の前後のほぼ中間線で左右が互いに縫着され、布製股部１２が縫着されている。また、布製ウエスト部前面１および布製ウエスト部背面２には、図示は省略するが、ゴムが通されている。本発明において、前述の他の実施の形態と同様の生地を同様に用いた。
【００２９】
なお、図５および図６に示す本発明の第３の実施の形態である生地の多い股上の深いショーツでは、図３および図４に示す生地の少ない股上の浅いショーツの布製ウエスト部前面１を体軸方向へ伸ばし、人体のウエスト部前面を覆った。また、布製腹部３を体軸方向へ伸ばし人体の腹部を覆い、布製ウエスト部背面２を体軸方向へ伸ばし人体のウエスト部背面を覆い、さらに、布製殿部５を体軸方向へ伸ばし、人体の殿部を覆った。また、布製腰部４を体軸方向および水平方向へ伸ばし、人体の腰部を覆った。
このように、用途やデザイン等に応じ、衣類各部を体軸方向および水平方向へ増減させる場合であっても、布製本体前面の装着に伴う水平方向の収縮距離が、布製本体背面の装着に伴う水平方向の収縮距離より長くなる機能を備えていれば、体型調整メカニズムを働かせるための条件を衣類に機能として取り入れることでき、腹部の皮膚を弛ませ、腹部に軽くしわをよせ、日常的な継続使用により装着者の腹部の形状を根本から整える機能を備えることが可能となる。
【００３０】
なお、本発明をショーツに用いた第３の実施の形態においては、上記の素材を用いたが、構成する素材としては通気性、柔軟性、保温性、耐久性等に優れたものが好ましい。このような素材としては、例えばナイロン等の化学繊維および絹、麻等の天然繊維等が挙げられる。これらは例示であって制限的なものではない。
【００３１】
次に、本発明をショーツに用いた第４の実施の形態を図７および図８を用いて説明する。
図７および図８に示す本発明の第４の実施の形態である殿筋作用部１０を備えたショーツは、布製腰部４の装着に伴う体軸方向の収縮距離が、布製ウエスト部背面２の装着に伴う体軸方向の収縮距離より同一幅で比較した場合に長くなる機能を備え、布製殿部５の人体の殿筋部に相当する部位に、布製殿部５の装着に伴う水平方向の収縮距離より同一幅で比較した場合に短くなる機能を備える殿筋作用部１０を備え、殿筋作用部１０の装着に伴う水平方向の収縮距離が、装着に伴う体軸方向の収縮距離より同一幅で比較した場合に短くなる機能を備える構造とするものである。
【００３２】
本発明の第４の実施の形態であるショーツの前面側を示す図７において、１は布製ウエスト部前面、３は布製腹部、１２は布製股部である。背面側を示す図８において、２は布製ウエスト部背面、４は布製腰部、５は布製殿部、１０は殿筋作用部である。
布製本体前面は、布製ウエスト部前面１および布製腹部３からなり互いに縫着されている。布製本体背面は、布製ウエスト部背面２および布製腰部４からなり互いに縫着され、布製殿部５が縫着されている。さらに、布製ウエスト部前面１および布製ウエスト部背面２と、布製腹部３および布製殿部５は、装着者の前後のほぼ中間線で左右が互いに縫着され、布製股部１２が縫着されている。さらに、布製殿部５には、人体の殿筋部に相当する部位に、布製殿部５の装着に伴う水平方向の収縮距離より同一幅で比較した場合に短くなる機能を備える殿筋作用部１０が設けられている。また、布製ウエスト部前面１および布製ウエスト部背面２には、図示は省略するが、ゴムが通されている。
【００３３】
本発明の第４の実施の形態において、布製ウエスト部前面１、布製ウエスト部背面２および布製腹部３は、伸縮性のベア天竺（綿８９％、ポリウレタン１１％）生地を使用し、水平方向の収縮距離と体軸方向の収縮距離に差異が生じ、水平方向の収縮距離が体軸方向の収縮距離より長くなる方向で構成した。また、布製腰部４は、布製腹部３で使用した生地を９０度回転させ、体軸方向の収縮距離が、水平方向の収縮距離より長くなる方向で使用し、布製腰部４の装着に伴う体軸方向の収縮距離が、布製ウエスト部背面２の装着に伴う体軸方向の収縮距離より同一幅で比較した場合に長くなる方向で構成した。
また、布製殿部５は、布製腰部４に使用した生地を用い、殿筋作用部１０は、体軸方向には布製腰部４と同等の伸縮機能を有し、水平方向には伸縮機能を有さないレース生地を用い、尾骨近傍から布製殿部５の下辺に接し、布製腹部３の一部に連結する位置に備えた。布製股部１２は通気性の良い綿素材で構成した。
【００３４】
なお、本発明の第４の実施の形態においては、殿筋作用部１０の起始部を尾骨近傍とし、停止部は布製腹部３の一部としたが、殿筋作用部１０の起始部および停止部は布製殿部５内に留めてもよい。こうすることで、装着者の殿部の局所に対し、より好適に体型調整メカニズムを働かせることが可能となる。
また、布製本体前面の装着に伴う水平方向の収縮距離が、布製本体背面の装着に伴う水平方向の収縮距離より長くなる機能を備えていれば、殿筋作用部１０の起始部や停止部は布製殿部５内に限定されなくてもよく、殿筋作用部１０の下辺が布製殿部５の下辺に接さなくてもよい。また、殿筋作用部１０は本発明の第４の実施の形態のように、左右対称の位置に一対備えることが望ましいが、二対以上でもよく、対をなさなくてもよい。さらに、布製殿部５の装着に伴う水平方向の収縮距離より同一幅で比較した場合に短くなる機能を備えていれば、用途やデザイン等に応じ、その形状および位置等は任意でもよい。
【００３５】
なお、本発明をショーツに用いた第４の実施の形態においては、上記の素材を用いたが、構成する素材としては通気性、柔軟性、保温性、耐久性等に優れたものが好ましい。このような素材としては、例えばナイロン等の化学繊維および絹、麻等の天然繊維等が挙げられる。これらは例示であって制限的なものではない。
【００３６】
次に、本発明をガードルに用いた第５の実施の形態を図９および図１０を用いて説明する。
図９および図１０に示す本発明の第５の実施の形態であるガードルは、布製本体前面を体軸方向の長さで分割し、布製前腹部下部６ａと布製前腹部上部６ｂとし、布製前腹部下部６ａの装着に伴う水平方向の収縮距離が布製前腹部上部６ｂの装着に伴う水平方向の収縮距離より短くなる機能を備え、布製本体背面の全部に水平方向の伸縮機能を備えず、布製本体前面の一部に水平方向の伸縮機能を備えない構造とするものである。図９に分割線を表示していないが、布製本体前面の体軸方向の長さでの分割は、適宜の位置でなされて差し支えない。
本発明の第５の実施の形態であるガードルを示す図９において、６は布製前腹部（布製ウエスト部前面１の大半と布製腹部３の大半）、６ａは布製前腹部下部、６ｂは布製前腹部上部、７は布製側腹部（布製腹部３の一部）、１１は布製脚部、１２は布製股部である。図９に示したガードルの背面を示す図１０において、５は布製殿部、８は布製背腰部（布製ウエスト部背面２の大半と布製腰部４の大半）、９は布製背腰外側部（布製ウエスト部背面２の一部と布製腰部４の一部）、１１は布製脚部である。
【００３７】
布製ウエスト部前面１の大半と布製腹部３の大半からなる布製前腹部６は、ポリウレタン（弾性繊維）糸を縦糸として使用し、中庸の伸縮機能を有するナイロン糸にポリウレタン糸を交編させた縦編の生地で構成し、水平方向の伸縮機能を備える構造とし、布製ウエスト部背面２の大半と布製腰部４の大半からなる布製背腰部８、布製殿部５、布製側腹部７および布製ウエスト部背面２の一部と布製腰部４の一部からなる布製背腰外側部９は、綿糸を使用した綾織り生地で構成し伸縮機能を備えない構造とした。
このことで、伸縮機能を有する布製前腹部６が、伸縮機能を有さない布製背腰部８、布製殿部５、布製側腹部７および布製背腰外側部９より、装着に伴う水平方向の収縮距離が長くなる機能を備える構成とした。
【００３８】
さらに、布製前腹部６の形状を下辺より上辺が長い台形状とし、布製本体前面を体軸方向の長さで等分し、布製前腹部下部６ａと布製前腹部上部６ｂとし、布製前腹部下部６ａの装着に伴う水平方向の収縮距離が、布製前腹部上部６ｂの装着に伴う水平方向の収縮距離より短くなる機能を備える構成とした。
なお、本発明をガードルに用いた布製股部１２は通気性の良い綿素材で構成し、布製脚部１１は、装着者の大腿部に不快感を与えずにフィットするポリウレタンを使用した縦編の生地で構成した。
【００３９】
本発明の第５の実施の形態において、布製前腹部６は、下辺と上辺に水平方向の収縮距離の差異を有さない生地を用い、その形状を下辺より上辺が長い台形状とし、布製前腹部下部６ａの装着に伴う水平方向の収縮距離が布製前腹部上部６ｂの装着に伴う水平方向の収縮距離より短くなる機能を備えたが、下辺と上辺に水平方向の収縮距離の差異を有する生地を用いてもよく、結果として布製前腹部下部６ａの装着に伴う水平方向の収縮距離が布製前腹部上部６ｂの装着に伴う水平方向の収縮距離より短くなる機能を備えていればよい。
また、布製本体背面の全部に水平方向の伸縮機能を備えず、さらに、布製本体前面の一部に水平方向の伸縮機能を備えない構造とするために、布製本体背面と布製本体前面の一部に綿糸を使用した綾織り生地で構成し伸縮機能を備えない構造としたが、これらは例示であって制限的なものではなく、結果として布製本体背面の一部または全部に水平方向の伸縮機能を備えず、また、布製本体前面の一部に水平方向の伸縮機能を備えなければよい。
また、布製脚部１１の長さは、膝上、膝下または足首あるいは爪先までといったように、用途やデザイン等に応じ、任意の長さでよい。また、第５の実施の形態においては、腹部に対して密着して装着する衣類であるが、腰部、殿部、股部および脚部に対しては、用途やデザインに応じ、必ずしも密着しなくてもよい。
【００４０】
本発明をガードルに用いた第５の実施の形態においては、上記の素材を用いたが、構成する素材としては通気性、柔軟性、保温性、耐久性等に優れたものが好ましい。このような素材としては、例えばナイロン等の化学繊維および絹、麻等の天然繊維等が挙げられる。これらは例示であって制限的なものではない。
【００４１】
次に、本発明をガードルに用いた第６の実施の形態を図１１および図１２を用いて説明する。
図１１および図１２に示す本発明の第６の実施の形態であるガードルは、布製腰部４の装着に伴う体軸方向の収縮距離が、布製ウエスト部背面２の装着に伴う体軸方向の収縮距離より同一幅で比較した場合に長くなる機能を備え、布製本体前面の内面に装着に伴う体軸方向の滑り止め機能を備え、布製本体背面の一部に水平方向の伸縮機能を備えず、布製殿部５の人体の殿筋部に相当する部位に、布製殿部５の装着に伴う水平方向の収縮距離より同一幅で比較した場合に短くなる機能を備える殿筋作用部１０を備え、殿筋作用部１０の装着に伴う水平方向の収縮距離が、装着に伴う体軸方向の収縮距離より同一幅で比較した場合に短くなる機能を備える構造とするものである。
【００４２】
本発明の第６の実施の形態であるガードルを示す図１１において、１は布製ウエスト部前面、３は布製腹部、１１は布製脚部、１２は布製股部である。図１１に示したガードルの背面を示す図１２において、２は布製ウエスト部背面、４は布製腰部、５は布製殿部、１０は殿筋作用部、１１は布製脚部である。布製ウエスト部前面１および布製腹部３は、伸縮性のナイロンベア天竺（ナイロン８５％、ポリウレタン１５％）生地を使用し、水平方向の収縮距離と体軸方向の収縮距離に差異が生じ、水平方向の収縮距離が体軸方向の収縮距離より長くなる方向で構成した。布製腹部３の内面に、伸縮性の生地に伸縮性を有する糸を大きく畝状に編み体軸方向に凸凹を有する加工を施した伸縮性の生地（図１３）を当て布として使用した。布製腹部３の内面の当て布は、布製腹部３の生地より水平方向および体軸方向の伸縮性に優れている。
【００４３】
また、布製ウエスト部背面２は、伸縮性のナイロンベア天竺（ナイロン８５％、ポリウレタン１５％）生地に伸縮性を備えない綿糸を縫い込み相対的に水平方向の収縮距離に差異を設け布製腰部４および布製殿部５は、布製腹部３に使用した生地を９０度回転させ、体軸方向の収縮距離が、水平方向の収縮距離より長くなる方向で使用し構成した。また、殿筋作用部１０は、体軸方向には布製腰部４と同等の伸縮機能を有し、水平方向には伸縮機能を有さないレース生地を用い、尾骨近傍に接さず布製殿部５の下辺に接し、布製腹部３に連結する位置に備えた。
なお、本発明をガードルに用いた布製股部１２は通気性の良い綿素材で構成し、布製脚部１１は、装着者の大腿部に不快感を与えずにフィットするポリウレタンを使用した生地で構成した。
【００４４】
本発明の第６の実施の形態においては、伸縮性の生地に伸縮性を有する糸を大きく畝状に編み体軸方向に凸凹を有する加工を施した伸縮性の生地（図１３）を当て布とし、布製腹部３の内面に使用し、体軸方向の滑り止め機能を備えたが、体軸方向の滑り止め機能を備えるためには、ゴムテープを編立てる時に、体軸方向に等間隔でポリウレタンをむき出しにして編立てる事で、滑り止めとし布製本体前面の内面生地としてもよく、布製本体前面の内面生地にシリコン等をゼリー状にし、体軸方向に等間隔で生地表面またはゴムテープに乗せて熱風乾燥させる等の後加工を施してもよい。
また、これらを設ける部位は、布製腹部３の内面に限らない。布製ウエスト部前面１の内面に設けてもよく、布製本体前面の外面や多層構造の場合はその内部に設けてもよく、結果として、布製本体前面の一部または全部に装着に伴う体軸方向の滑り止め機能を備えればよい。
また、本発明の第６の実施の形態においては、明確な布製股部１２を設けているが、用途やデザインに応じ、該衣類が人体の股部を覆っていれば明確な布製股部１２を設けなくてもよい。さらに、用途やデザインに応じ、ボタン、ファスナーおよびマジックテープ等を用いてもよい。
【００４５】
なお、本発明の第６の実施の形態においては、殿筋作用部１０は尾骨近傍に接さず、起始部を布製殿部５の下辺とし、停止部は布製腰部４の一部としたが、用途やデザインに等に応じ、殿筋作用部１０の起始部および停止部は布製殿部５内に留めてもよい。また、布製本体前面の装着に伴う水平方向の収縮距離が、布製本体背面の装着に伴う水平方向の収縮距離より長くなる機能を備えていれば、殿筋作用部１０の起始部や停止部は布製殿部５内に限定されなくてもよく、殿筋作用部１０の下辺が布製殿部５の下辺に接さなくてもよい。また、殿筋作用部１０は本発明の第４の実施の形態のように、左右対称の位置に一対備えることが望ましいが、二対以上でもよく、対をなさなくてもよい。さらに、布製殿部５の装着に伴う水平方向の収縮距離より同一幅で比較した場合に短くなる機能を備えていれば、用途やデザイン等に応じ、その形状および位置等は任意でもよい。
【００４６】
本発明をガードルに用いた第６の実施の形態においては、上記の素材を用いたが、構成する素材としては通気性、柔軟性、保温性、耐久性等に優れたものが好ましい。このような素材としては、例えばナイロン等の化学繊維および絹、麻等の天然繊維等が挙げられる。これらは例示であって制限的なものではない。
【００４７】
図１〜図１２に示されるものは、いずれも、本発明の基本的構造を備えている。このことにより、本発明のウエスト部を有する衣類は、腹部への強い押圧力によらずに、体型調整メカニズムを働かせるための条件を衣類に機能として取り入れることで、腹部の皮膚を弛ませ、腹部に軽くしわをよせ、日常的な継続使用により装着者の腹部の形状を整える機能を備えることが可能となる。
【００４８】
ここで、本明細書でいう密着して装着する衣類とは、身体の表面に直接に接して密着する場合に限らず、他の下着類を介して身体に密着する場合も含むものである。
また、本明細書では、立位での上下方向を体軸方向と呼ぶ。また、立位での足から頭の方向を上方向と呼ぶ。さらに、体軸方向に対して９０度をなす方向を水平方向と呼ぶ。また、非装着時の布製本体を腹部側と腰部側に等分し、腹部側を布製本体前面と呼び、腰部側を布製本体背面と呼ぶ。
さらに、該衣類を構成する布製ウエスト部前面１、布製ウエスト部背面２、布製腹部３、布製腰部４、布製殿部５および布製股部１２は次のように定める。該衣類の布製本体上辺が装着者の上腹部に位置する場合、布製本体前面において、装着者の上腹部に位置する部位を布製ウエスト部前面１と呼び、下腹部に位置する部位を布製腹部３と呼ぶが、該衣類構成のデザイン等において、布製本体上辺が装着者の上腹部に位置しない場合や布製ウエスト部前面１が不明瞭な場合等においては、布製本体の上部に位置し、その部位を取り除いた場合に布製本体の装着位置の保持に不都合を生じる部位を布製ウエスト部前面１と呼び、布製本体前面から布製ウエスト部前面１を取り除いた部位を布製腹部３と呼び、デザイン等によりそれらの体軸方向の位置や幅は一定ではない。
【００４９】
布製本体背面に位置し、布製ウエスト部前面１に対応する部位を布製ウエスト部背面２と呼び、布製本体背面に位置し、布製腹部３に対応する部位を布製腰部４と呼ぶ。また、布製殿部５、布製股部１２とは装着者の殿部、股部に位置する部位を呼ぶ。
なお、本件発明は衣類以外を想定しているものではないが、衣類の種類等によっては、衣類の各部名称と身体の部位名称が一致しない場合があるため、本明細書において衣類と身体の部位の混同を避けるため、衣類には「布製」の語を付加したが、用途やデザインに応じ、布製とは異なるプラスチックや金属等の素材を用いる場合もある。
【実施例】
【００５０】
続いて、図７および図８に示したショーツのモニター試験結果について説明する。このモニター試験では、１０代から６０代の１４名の社外モニターに対し、モニター自身が装着しているショーツやタイツ等の上に、図７および図８に示したショーツと同等の構造を有するサンプルショーツを重ねて装着させた後、腹部を強く圧迫していないか、ウエストを過剰に締め付けていないか等の装着感を調べ、腹部および殿部の形状の変化をモニター自身に鏡で確認させた。さらに、サンプルショーツ非装着時とサンプルショーツ装着時の殿部の位置の変化を比較するため、モニターの背を壁に接して立たせ、壁に接する殿部の位置の変化をモニター自身の感覚で確認させた。
なお、このモニター試験ではサンプルショーツの装着感について調査することを目的としているため、サンプルショーツの機能の詳細についてはモニターに告げず、モニター試験を行った。
【００５１】
このモニター試験の結果、サンプルショーツを装着した時点（鏡や壁を使用する前）で、１４名中３名が「殿部の形状の変化を感じる」と答えた。
サンプルショーツの装着感に関し、各モニターからは、「腹部への圧迫は感じない」（１４名中１４名）、「ウエスト部への圧迫は感じない」（１４名中１４名）、「腰部への圧迫は感じない」（１４名中１４名）、という回答が得られた。また、壁に接する殿部の位置の変化を確認させた結果、「壁に接する殿部の位置が高くなった」（１４名中１２名）、「わからない」（１４名中２名）、という回答が得られた。さらに、モニター試験を終え、サンプルショーツ非装着となった時、もう一度、壁に接する殿部の位置を確認させたところ、「壁に接する殿部の位置が低くなった」（１４名中１４名）、という回答が得られた。
【００５２】
続いて、図３および図４に示したショーツのモニター試験結果について説明する。このモニター試験では、３０代から６０代の４名のモニター（社内３名、社外１名）に対し、図３および図４に示したショーツと同等の構造を有するサンプルを４ヶ月間継続使用させた後、腹部を強く圧迫していないか、ウエストを過剰に締め付けていないか等の装着感および継続使用による体型の変化について調べた。
このモニター試験の結果、サンプルショーツの装着感に関し、各モニターからは、「腹部への圧迫は感じない」（４名中４名）、「ウエスト部への圧迫は感じない」（４名中４名）、「腰部への圧迫は感じない」（４名中４名）、という回答が得られた。継続使用による体型の変化に関し、「腹部の形状の変化を自覚できる」（４名中３名）、「腰部の形状の変化を自覚できる」（４名中４名）、「殿部の形状の変化を自覚できる」（４名中３名）、「体型の変化を周囲から指摘される」（４名中４名）、という回答が得られた。
【産業上の利用可能性】
【００５３】
本発明は、腹部への強い押圧力によらずに、衣類の装着に伴う収縮距離の差異によって生じる作用と衣類と皮膚との摩擦を考慮し、皮膚に対する持続的伸張負荷を軽減することで、持続的伸張負荷が減少すると縮むという皮膚の生理的性質を作用させ、体型調整メカニズムを働かせるための条件を衣類に機能として取り入れることで、腹部の皮膚を弛ませ、腹部に軽くしわをよせ、日常的な継続使用により、産後や急激な痩せに伴う腹部のたるみのみならず、装着者の腹部の形状を根本から整える機能を備えた衣類を提供することができ、さらに、腹部のみならず腰部や殿部にも、体型調整メカニズムを働かせるための条件を機能として取り入れることが可能となり、衣料業界に貢献する処大である。
【符号の説明】
【００５４】
１：布製ウエスト部前面
２：布製ウエスト部背面
３：布製腹部
４：布製腰部
５：布製殿部
６：布製前腹部（布製ウエスト部前面１の大半と布製腹部３の大半）
６ａ：布製前腹部下部
６ｂ：布製前腹部上部
７：布製側腹部（布製腹部３の一部）
８：布製背腰部（布製ウエスト部背面２の大半と布製腰部４の大半）
９：布製背腰外側部（布製ウエスト部背面２の一部と布製腰部４の一部）
１０：殿筋作用部
１１：布製脚部
１２：布製股部
２１、２２：伸縮性腹部裏打ち布
【手続補正３】
【補正対象書類名】図面
【補正対象項目名】図４
【補正方法】変更
【補正の内容】
【図４】
2011017116.tif 000017
【手続補正書】
【提出日】平成22年9月9日(2010.9.9)
【手続補正１】
【補正対象書類名】特許請求の範囲
【補正対象項目名】全文
【補正方法】変更
【補正の内容】
【特許請求の範囲】
【請求項１】
布製ウエスト部前面と布製腹部とからなる布製本体前面と、布製ウエスト部背面と布製腰部とからなる布製本体背面とから構成されるウエスト部を有する衣類であって、前記布製本体前面の装着に伴う水平方向の収縮距離が、前記布製本体背面の装着に伴う水平方向の収縮距離より長くなる機能を備え、腹式呼吸等に伴う腹囲の増減に追従できる伸縮性を有する生地を用いて、前記収縮距離を、装着時に腹部の皮膚を弛ませて軽くしわをよせる程度とし、継続使用により腹部の皮膚への持続的伸長負荷を減少させ、身体の持つ体型調整メカニズムを働かせることを特徴とするウエスト部を有する衣類。
【手続補正２】
【補正対象書類名】明細書
【補正対象項目名】０００８
【補正方法】変更
【補正の内容】
【０００８】
上記課題を解決するため、本発明のウエスト部を有する衣類は、布製ウエスト部前面１と布製腹部３部とからなる布製本体前面と、布製ウエスト部背面２と布製腰部４とからなる布製本体背面とから構成されるウエスト部を有する衣類であって、前記布製本体前面の装着に伴う水平方向の収縮距離が、前記布製本体背面の装着に伴う水平方向の収縮距離より長くなる機能を備え、腹式呼吸等に伴う腹囲の増減に追従できる伸縮性を有する生地を用いて、前記収縮距離を、装着時に腹部の皮膚を弛ませて軽くしわをよせる程度とし、継続使用により腹部の皮膚への持続的伸長負荷を減少させ、身体の持つ体型調整メカニズムを働かせるものであることを特徴とする。
【手続補正３】
【補正対象書類名】明細書
【補正対象項目名】００３６
【補正方法】変更
【補正の内容】
【００３６】
次に、本発明をガードルに用いた第５の実施の形態を図９および図１０を用いて説明する。
図９および図１０に示す本発明の第５の実施の形態であるガードルは、布製本体前面を体軸方向の長さで等分し、布製前腹部下部６ａと布製前腹部上部６ｂとし、布製前腹部下部６ａの装着に伴う水平方向の収縮距離が布製前腹部上部６ｂの装着に伴う水平方向の収縮距離より短くなる機能を備え、布製本体背面の全部に水平方向の伸縮機能を備えず、布製本体前面の一部に水平方向の伸縮機能を備えない構造とするものである。
本発明の第５の実施の形態であるガードルを示す図９において、６は布製前腹部（布製ウエスト部前面１の大半と布製腹部３の大半）、６ａは布製前腹部下部、６ｂは布製前腹部上部、７は布製側腹部（布製腹部３の一部）、１１は布製脚部、１２は布製股部である。図９に示したガードルの背面を示す図１０において、５は布製殿部、８は布製背腰部（布製ウエスト部背面２の大半と布製腰部４の大半）、９は布製背腰外側部（布製ウエスト部背面２の一部と布製腰部４の一部）、１１は布製脚部である。